(57)【要約】【課題】  日本女性が欧米女性用靴を履いても、前すべりが生じないと共に欧米女性と同様なフィット感で歩くことができる前すべり防止用パッド及び前すべり防止用パッド内蔵女性靴を得る。【解決手段】  足の内側となる内側縁に、足の親指と第１中足骨骨頭５１ａとが接続する内側足根小球領域Ａが入る大きさで欠けさせた内側切欠部１０３と、足の外側となる外側縁に、足の小指と第５中足骨骨頭とが接続する外側足根小球領域Ｂが入る大きさで欠けさせた外側切欠部１０５とを形成した前すべり防止用パッド１００を欧米女性用パンプス３００の中底２００に貼り付ける。【選択図】図１
2015208399.tif 000002
【特許請求の範囲】
【請求項１】
ヒールを有する靴（３００）の中底（２００）の表面に挿入される足の指部の付根から土踏まず部の後端までの範囲に渡って貼り付けられるウレタンスポンジ製の前すべり防止用パッドであって、
前記中底（２００）の前記範囲に対応する形状であり、
足の内側となる内側縁に、前記足の親指と第１中足骨骨頭（５１ａ）とが接続する内側足根小球領域（Ａ）が入る大きさの切欠けの内側切欠部（１０３）が形成され、
前記足の外側となる外側縁に、前記足の小指と第５中足骨骨頭（５５ａ）とが接続する外側足根小球領域（Ｂ）が入る大きさの切欠けの外側切欠部（１０５）が形成されていることを特徴とする前すべり防止用パッド。
【請求項２】
足の第２中足骨（５２）の中央付近と第３中足骨（５３）の中央付近とを持ち上げるためのしずく型の凸部（１０１）が形成されていることを特徴とする請求項１記載の前すべり防止用パッド。
【請求項３】
ヒールを有する靴（３００）の中底（２００）の表面に挿入される足の指部の付根から土踏まず部の後端までの範囲に渡って貼り付けられるウレタンスポンジ製の前すべり防止用パッドであって、
前記範囲に対応する形状であり、足の内側となる内側縁に、前記足の親指と第１中足骨骨頭（５１ａ）とが接続する内側足根小球領域（Ａ）が入る大きさの切欠の内側切欠部（１０３）が形成され、かつ前記足の外側となる外側縁に、前記足の小指と第５中足骨骨頭（５５ａ）とが接続する外側足根小球領域（Ｂ）が入る大きさの切欠の外側切欠部（１０５）が形成された表層（１００Ａ）と、
前記表層（１００Ａ）における裏面の第２中足骨（５２）の中央付近と第３中足骨（５３）の中央付近となる領域に設けられてしずく型の凸部（１０１）を形成するための凸部形成部材（１０１Ａ）と
を有することを特徴とする前すべり防止用パッド。
【請求項４】
前記しずく型の凸部（１０１）は、カーボンを含んだウレタンスポンジ製の前記凸部形成部材（１０１Ａ）と前記表層（１００Ａ）とが熱圧着成型されて構成されていることを特徴とする請求項３記載の前すべり防止用パッド。
【請求項５】
前記表層（１００Ａ）は、
前記内側欠部（１０３）の親指と第１中足骨骨頭（５１ａ）との接続付近と前記小指と第５中足骨骨頭との接続付近とを結ぶライン（Ｌａ）から爪先側に向かって次第に薄くされていることを特徴とする請求項３又は４記載の前すべり防止用パッド。
【請求項６】
前記表層（１００Ａ）は、
第１中足骨骨底（５１ｂ）から第５中足骨骨底（５５ｂ）を結ぶ直線（Ｌｂ）から踵部側に向かって次第に薄くされていることを特徴とする請求項３又は４記載の前すべり防止用パッド。
【請求項７】
中敷（１５０）と中底（２００）との間に、この中底（２００）の表面の挿入される足の指部の付根から土踏まず部の後端までの範囲にウレタンスポンジ製の前すべり防止用パッド（１００）を貼り付けた足幅が狭く中足部が長くかつ踵部の幅が狭いヒールを有する女性用靴において、
前記前すべり防止用パッド（１００）は、
前記範囲に対応する形状であり、
足の内側となる内側縁に、前記足の親指と第１中足骨骨頭（５１ａ）とが接続する内側足根小球領域（Ａ）が入る大きさの切欠けの内側切欠部（１０３）が形成され、
前記足の外側となる外側縁に、前記足の小指と第５中足骨骨頭（５５ａ）とが接続する外側足根小球領域Ｂが入る大きさの切欠けの外側切欠部（１０５）が形成されていることを特徴とする前すべり防止用パッド内蔵女性靴。
【請求項８】
足の第２中足骨（５２）の中央付近と第３中足骨（５３）の中央付近とを持ち上げるためのしずく型の凸部（１０１）を形成していることを特徴とする請求項７記載の前すべり防止用パッド内蔵女性靴。
【請求項９】
前すべり防止用パッド（１００）は、
前記範囲に対応する形状であり、足の内側となる内側縁に、前記足の親指と第１中足骨骨頭（５１ａ）とが接続する内側足根小球領域（Ａ）が入る大きさの切欠けの内側切欠部（１０３）が形成され、かつ前記足の外側となる外側縁に、前記足の小指と第５中足骨骨頭（５５ａ）とが接続する外側足根小球領域Ｂが入る大きさの切欠けの外側切欠部（１０５）が形成された表層（１００Ａ）と、
前記表層（１００Ａ）における裏面の第２中足骨（５２）の中央付近と第３中足骨（５３）の中央付近となる領域に設けられてしずく型の凸部（１０１）を形成するための凸部形成部材（１０１Ａ）と
を有することを特徴とする請求項７記載の前すべり防止用パッド内蔵女性靴。
【請求項１０】
前記しずく型の凸部（１０１）は、カーボンを含んだウレタンスポンジ製の前記凸部形成部材（１０１Ａ）と前記表層（１００Ａ）とが熱圧着成型されて構成されていることを特徴とする請求項９記載の前すべり防止用パッド内蔵女性靴。
【請求項１１】
前記表層（１００Ａ）は、
前記内側欠部（１０３）の親指と第１中足骨骨頭（５１ａ）との接続付近と前記小指と第５中足骨骨頭との接続付近とを結ぶライン（Ｌａ）から爪先側に向かって次第に薄くされていることを特徴とする請求項９記載の前すべり防止用パッド内蔵女性靴。
【請求項１２】
前記表層（１００Ａ）は、
第１中足骨骨底（５１ｂ）から第５中足骨骨底を結ぶ直線（Ｌｂ）から踵部側に向かって次第に薄くされていることを特徴とする請求項９記載の前すべり防止用パッド内蔵女性靴。
【発明の詳細な説明】
【技術分野】
【０００１】
この発明は、日本女性が欧米女性用靴を履いても前すべりが生じないと共に欧米女性用靴のデザイン性を損なわない前すべり防止用パッド及び前すべり防止用パッド内蔵女性靴に関する。
【背景技術】
【０００２】
欧米人が履くパンプス、ハイヒール等の欧米女性用靴は、デザイン性、安定性等から日本女性にも人気がある。
【０００３】
しかし、日本人の足の爪先は、親指（足の第１指ともいう）が長いエジプト型が多い。逆に欧米人は足の第２指が長いギリシャ型が多い。
【０００４】
また、日本人の足は、足幅が広く、かつ中足部が短く、足の踵部には丸みが少ない。逆に欧米人の足は足幅が狭くて中足部が長く、踵部に丸みがある。
【０００５】
このため、図７に示すように欧米女性用靴の一種である欧米女性用パンプス３００を中足部が短い日本女性が履くと、中足部が長い足に対応するように設計された靴の土踏まず対応部分に足の土踏まず位置が合わず、足が前にすべり、指先がつまり、足の踵と欧米女性用パンプス３００の踵後端との間に隙間が生じてフィット感がなくなる。結果として指先が痛くなったり、足の踵の皮膚が破れたりする。
【０００６】
前述の前すべりを防止するものに例えば、特許文献１が開示されている。この特許文献１の前すべり防止インソールは、緩衝効果のある素材で形成し、足の第１指と足の第２指とで挟む突起を有して靴の中底の土踏み部に載置される形状である。そして、足をこの前すべり防止インソールに置いて、突起を足の第１指と足の第２指とで挟んで前すべりを防止している。
【先行技術文献】
【特許文献】
【０００７】
【特許文献１】特開２０１３−２４０６４４号公報
【発明の概要】
【発明が解決しようとする課題】
【０００８】
しかしながら、特許文献１の前すべり防止インソールは、靴の中底のインソール上に置かれるものであるから靴を脱いだときにパッドが見えることになる。
【０００９】
このため、高価な靴に使用するのが敬遠されていた。特に欧米女性用靴は値段が高価であるから特に敬遠され、購入をあきらめる場合が多い。
【００１０】
また、特許文献１は、足の第１指と足の第２指とで挟む突起で前すべりを防止するものであるから、第１指と足の第２指との間の股足が痛くなる場合があった。
【００１１】
本発明は以上の課題を解決するためになされたもので、日本女性が欧米女性規格の靴を履いても前すべりが生じないと共に欧米女性と同様なフィット感で歩くことができる前すべり防止用パッド及び前すべり防止用パッド内蔵女性靴を得ることを目的とする。
【課題を解決するための手段】
【００１２】
本発明は、ヒールを有する靴（３００）の中底（２００）の表面に挿入される足の指部の付根から土踏まず部の後端までの範囲に渡って貼り付けられるウレタンスポンジ製の前すべり防止用パッドであって、
前記中底（２００）の前記範囲に対応する形状であり、
足の内側となる内側縁に、前記足の親指と第１中足骨骨頭（５１ａ）とが接続する内側足根小球領域Ａが入る大きさで欠けさせられた内側切欠部（１０３）が形成され、
前記足の外側となる外側縁に、前記足の小指と第５中足骨骨頭（５５ａ）とが接続する外側足根小球領域（Ｂ）が入る大きさで欠けさせられた外側切欠部（１０５）が形成されていることを要旨とする。
【００１３】
また、本発明は、ヒールを有する靴（３００）の中底（２００）の表面に挿入される足の指部の付根から土踏まず部の後端までの範囲に渡って貼り付けられるウレタンスポンジ製の前すべり防止用パッドであって、
前記範囲に対応する形状であり、足の内側となる内側縁に、前記足の親指と第１中足骨骨頭（５１ａ）とが接続する内側足根小球領域（Ａ）が入る大きさで欠けさせられた内側切欠部（１０３）が形成され、かつ前記足の外側となる外側縁に、前記足の小指と第５中足骨骨頭（５５ａ）とが接続する外側足根小球領域（Ｂ）が入る大きさで欠けさせられた外側切欠部（１０５）が形成された表層（１００Ａ）と、
前記表層（１００Ａ）における裏面の第２中足骨（５２）の中央付近と第３中足骨（５３）の中央付近となる領域に設けられてしずく型の凸部（１０１）を形成するための凸部形成部材（１０１Ａ）と
を備えたことを要旨とする。
【００１４】
さらに、中敷（１５０）と中底（２００）との間に、この中底（２００）の表面に挿入される足の指部の付根から土踏まず部の後端までの範囲にウレタンスポンジ製の前すべり防止用パッド（１００）を貼り付けた足幅が狭く中足部が長くかつ踵部の幅が狭いヒールを有する女性用靴において、
前記前すべり防止用パッド（１００）は、
前記範囲に対応する形状であり、
足の内側となる内側縁に、前記足の親指と第１中足骨骨頭（５１ａ）とが接続する内側足根小球領域（Ａ）が入る大きさで欠けさせられた内側切欠部（１０３）が形成され、
前記足の外側となる外側縁に、前記足の小指と第５中足骨骨頭（５５ａ）とが接続する外側足根小球領域Ｂが入る大きさで欠けさせられた外側切欠部（１０５）が形成されていることを要旨とする。
【発明の効果】
【００１５】
以上のように本発明の前すべり防止用パッドによれば、足の内側となる内側縁に、足の親指と第１中足骨骨頭（５１ａ）とが接続する内側足根小球領域（Ａ）が入る大きさで欠けさせた内側切欠部（１０３）と、足の外側となる外側縁に、足の小指と第５中足骨骨頭（５５ａ）とが接続する外側足根小球領域（Ｂ）が入る大きさで欠けさせた外側切欠部（１０５）とを有しているので、例えば足幅が狭く、中足部が長くかつ踵部が狭い欧米女性用の靴に装着して足を入れた場合は、中底に傾斜があっても足の外側足根小球領域（Ｂ）及び内側足根小球領域Ａが中底（２００）を押圧する。また中底の不踏まず部に前すべり防止用パッドを入れることによって厚みが出て不踏まず部の長さを短くする。
【００１６】
このため、足が前にずれないので、日本女性であっても欧米女性と同じように足の踵部と欧米女性用靴の踵の間に隙間を生じない。
【００１７】
従って、日本女性であっても欧米女性が履いているのと同じように見える。また、前すべりしないので、歩いても足が痛くなることがない。
【００１８】
また、前すべり防止用パッドには、しずく型の凸部を設けているので、足のアーチが保たれるから歩いても疲れない。
【図面の簡単な説明】
【００１９】
【図１】本実施の形態の前すべり防止用パッド内蔵女性靴の斜視図である。
【図２】本実施の形態の前すべり防止用パッド１００を貼り付けた中底２００を足裏側から見た平面図である。
【図３】図１のＩ方向から見た場合の側面図である。
【図４】本実施の形態の前すべり防止用パッド１００の説明図である。
【図５】前すべり防止用パッド１００の裏面図である
【図６】前すべり防止用パッド１００を用いた場合の効果を説明する説明図である。
【図７】従来の欧米女性用パンプス３００を日本女性が履いた場合の説明図である。
【発明を実施するための形態】
【００２０】
本実施の形態においては、足幅が狭く、かつ中足部が長くて踵部が狭い欧米女性用のパンプスを一例にして説明する。
【００２１】
図１は本実施の形態の前すべり防止用パッドを用いた欧米女性用のパンプスの斜視図である。図１においては足の骨格を示して説明する。
【００２２】
図１に示すように、欧米女性用パンプス３００は、中底２００に本実施の形態の前すべり防止用パッド１００が貼り付けられ、この上に中敷１５０が貼り付けられる。
【００２３】
この前すべり防止用パッド１００の説明の前に、足の骨格名称について説明する。足は図１に示すように、前足部２０と、中足部２２と、後足部２３とから構成されている。
【００２４】
なお、実施の形態では、足の骨格は解剖学的な名称を用いないで、義肢装具等の製造業界で使用している名称で説明する。
【００２５】
前足部２０は、第１末節骨２７と第２末節骨２８と第３末節骨２９と第４末節骨３０と第５末節骨３１並びに第２中節骨３５、第３中節骨３６、第４中節骨３７、第５中節骨３８と、第１基節骨４１と第２基節骨４２と第３基節骨４３と第４基節骨４４と第５基節骨４５とからなる範囲をいう。
【００２６】
中足部２２は、第１中足骨５１と第２中足骨５２と第３中足骨５３と第４中足骨５４と第５中足骨５５と第１楔状骨６１と第２楔状骨６２と第３楔状骨６３と立方骨７１と舟状骨７３とを含む範囲をいう。
【００２７】
なお、前述の前足部２０と中足部２２との接続分を踏付部２６と称する。踏付部２６は、第１基節骨４１、第２基節骨４２、第３基節骨４３、第４基節骨４４、第５基節骨４５の各々の骨底付近と、第１中足骨５１、第２中足骨５２、第３中足骨５３、第４中足骨５４、第５中足骨５５の各々の骨頭付近とからなる範囲である。また、後足部２３は、距骨７５と踵骨７７とからなる範囲である。
【００２８】
また、第１中足骨骨頭５１ａと第１基節骨骨底４１ｂとの接続領域を内側足根小球領域Ａと称する。また、第５中足骨骨頭５５ａと第５基節骨骨底４５ｂとの接続領域を外側足根小球領域Ｂと称する。
【００２９】
一方、前すべり防止用パッド１００は、図１に示すように、足の内側となる縁に内側足根小球領域Ａが入るように略半円状の切欠部（以下内側切欠部１０３という）が形成され、かつ足の外側に外側足根小球領域Ｂが入るように略半円状の切欠部（以下外側欠部１０５という）が形成されている。また、前すべり防止用パッド１００は、図１に示すように表面に、しずく形の凸部１０１が設けられている。
【００３０】
そして、この前すべり防止用パッド１００は、図１に示すように欧米女性用パンプス３００の中底２００上に貼り付けられる。
【００３１】
図２は本実施の形態の前すべり防止用パッド１００を貼り付けた中底２００を足裏側から見た平面図である。図２においては、足の骨格を示して説明する。
【００３２】
図２に示すように、中底２００は前足部２０を含む中底前足部対応領域２１０と、中足部２２に対応する中足部対応領域２２０と、後足部２３に対応する後足部対応領域２３０とからなる。但し、中底前足部対応領域２１０は中底の先端領域２１１を含む。
【００３３】
図２に示すように、前すべり防止用パッド１００は、第１基節骨４１の中央付近、第２基節骨４２の中央付近、第３基節骨４３のやや骨底側付近、第４基節骨４４の骨頭付近、第５未節骨３１付近を結ぶラインＬａから第１中足骨骨底５１ｂの端付近、第２中足骨骨底５２ｂの端付近、第３中足骨骨底５３ｂ付近、第４中足骨骨底５４ｂ付近、第５中足骨骨底５５ｂ付近を通るラインＬｂの範囲に対応する形状にされて貼り付けられている。
【００３４】
つまり、前すべり防止用パッド１００は、足の指部の付根付近から土踏まず部の後端までの範囲に渡って貼り付けられる。
【００３５】
そして、前すべり防止用パッド１００の内側切欠部１０３に足裏の内側足根小球領域Ａが収まり、かつ外側切欠部１０５に足裏の外側足根小球領域Ｂが収まっている。この内側切欠部１０３の大きさは５００円玉の半分、外側切欠部１０５は１０円玉の半分程度である。
【００３６】
また、第２中足骨５２の中央付近と第３中足骨５３の中央付近にはしずく形の凸部１０１が位置している。これによって横アーチ８１を保つことができる。
【００３７】
図３は図１のＩ方向から見た場合の側面図である。但し、図３においては中敷１５０については図示しない。
【００３８】
図３に示すように前すべり防止用パッド１００を中底２００に貼り付けた欧米女性用パンプス３００に足を入れた場合は、内側切欠部１０３が第１中足骨骨頭５１ａと第１基節骨骨底４１ｂとの接続領域である内側足根小球領域Ａに位置している。
【００３９】
このため、前すべりがあっても内側足根小球領域Ａが中底２００を押圧することになるから前すべりを防止できる。
【００４０】
また、足の外側からみた場合の断面図については図示しないが、前すべり防止用パッド１００を中底２００に貼り付けた欧米女性用パンプス３００に足を入れた場合は、外側切欠部１０５が外側足根小球領域Ｂに位置するので、内側足根小球領域Ａが中底２００を押圧する。
【００４１】
従って、内側切欠部１０３によって足裏の内側足根小球領域Ａが中底２００を押圧すると共に、外側切欠部１０５によって足裏の外側足根小球領域Ｂが押圧されるので、前すべりを防止できることになる。
【００４２】
（前すべり防止用パッド１００の詳細説明）
図４は本実施の形態の前すべり防止用パッド１００の説明図である。図４（ａ）は前すべり防止用パッド１００の表面図である。図４（ｂ）は図４（ａ）のＩ―Ｉ方向から見た場合の側面図である。図４（ｃ）は図４（ａ）のa-a断面図である。
【００４３】
図４（ａ）、図４（ｂ）、図４（ｃ）に示すように、本実施の形態の前すべり防止用パッド１００は、表層１００Ａ（ウレタンスポンジ）と、しずく型の凸部１０１を形成するための凸部形成部材１０１Ａ（ウレタンスポンジ：カーボン含む）とからなる多層構造にされている。
【００４４】
図４（ａ）に示すように、本実施の形態の前すべり防止用パッド１００は靴の２３ｃｍタイプにおいては縦長が約１５０ｍｍ（１４８ｍｍ〜１５３ｍｍ：好ましくは１５０ｍｍ）であり、前側縁１００ａの横幅は約７０ｍｍ（６８ｍｍ〜７２ｍｍ：好ましくは７０ｍｍ）であり、後側縁１００ｂの横幅は約５０ｍｍ（４８ｍｍ〜５２ｍｍ：好ましくは５０ｍｍ）にされている。
【００４５】
また、足の内側となる内側縁には、内側足根小球領域Ａに対応する内側切欠部１０３が形成されている。この内側切欠部１０３は幅が約４６ｍｍ（４５ｍｍ〜４７ｍｍ：好ましくは４６ｍｍ）で、後側の奥行が約１５ｍｍ（１４ｍｍ〜１６ｍｍ：好ましくは１５ｍｍ）で、前側の奥行が約１０ｍｍ（９ｍｍ〜１１ｍｍ：好ましくは１０ｍｍ）にされている。
【００４６】
また、足の外側となる外側縁には、外側足根小球領域Ｂに対応する外側切欠部１０５が形成されている。この外側切欠部１０５は幅が約３４ｍｍ（３３ｍｍ〜３５ｍｍ：好ましくは３４ｍｍ）で、後側の奥行が約２０ｍｍ（１９ｍｍ〜２１ｍｍ：好ましくは２０ｍｍ）で、前側の奥行が約１０ｍｍ（９ｍｍ〜１１ｍｍ：好ましくは１０ｍｍ）にされている。
【００４７】
さらに、しずく形の凸部１０１は、幅が約３８ｍｍ（３６ｍｍ〜３９ｍｍ：好ましくは３８ｍｍ）で、長さが約５０ｍｍ（４９ｍｍ〜５１ｍｍ：好ましくは５０ｍｍ）にされている。
【００４８】
また、図４（ｂ）に示すように、Ｉ―Ｉ方向から見た場合は、本実施の形態の前すべり防止用パッド１００は、底面からしずく形の凸部１０１の頂点までの高さが約１２ｍｍ（１１ｍｍ〜１３ｍｍ：好ましくは１２ｍｍ）にされている。
【００４９】
そして、図４（ａ）、（ｂ）に示すように、しずく形の凸部１０１の中央から略後側付近となる位置ｆを通って後側縁１００ｂに平行となる後側ラインＬｆから後側縁１００ｂに向かって次第に薄くなっている。
【００５０】
また、内側切欠部１０３の略前側、外側切欠部１０５の略前側を結ぶ前側ラインＬｅから前側縁１００ａに向かって次第に薄くなっている。
【００５１】
そして、前側ラインＬｅと後側ラインＬｆとの間の厚みは、図４（ｂ）に示すように、約３ｍｍ（２．９ｍｍ〜３．１ｍｍ：好ましくは３ｍｍ）にされている。
【００５２】
つまり、足裏の土踏まず部の盛り上がり部分は厚めにされて、両端側は次第に薄くなるようにされている。このため、フィット感が増す。
【００５３】
また、図４（ｃ）のa-a断面図に示すように、前すべり防止用パッド１００は、ウレタン製の表層１００Ａとしずく形の凸部１０１を形成するための凸部形成部材１０１Ａとからなる多層構造にされている。
【００５４】
しずく形の凸部１０１は、図４（ａ）に示すように、長軸が約５０ｍｍ（４９ｍｍ〜５１ｍｍ：好ましくは５０ｍｍ）にされている。また、凸部形成部材１０１Ａの長軸は約４２ｍｍ（４１ｍｍ〜４３ｍｍ；好ましくは４２ｍｍ）にされている。この凸部形成部材１０１Ａにはカーボンが含まれている。
【００５５】
そして、このような前すべり防止用パッド１００の裏側を図５に示す。図５に示すように、前すべり防止用パッド１００を裏側から見た場合は、凸部形成部材１０１Ａは茸型をしている。これは２個の凸部形成部材１０１Ａ同士を連結させて表層１００Ａ（例えばウレタンスポンジ）の裏側において金型で熱圧着成型して切り離しているためである。
【００５６】
（前すべり防止用パッド１００を用いた場合の効果）
上記のような前すべり防止用パッド１００を中敷１５０に貼り付けた欧米女性用パンプス３００とした場合には、日本女性が履くと内側切欠部１０３によって足裏の内側足根小球領域Ａが中底２００を押圧すると共に、外側切欠部１０５によって足裏の外側足根小球領域Ｂが中底２００を押圧する。このため、図６に示すように、前すべりがなくなり、足の踵と欧米女性用パンプス３００のアッパーの踵部分とに隙間が無くなる。
【００５７】
このため、日本女性が欧米女性用パンプス３００を履いても前すべりが生じないと共に痛みを生じることなく欧米女性と同様なフィット感で歩くことができる
なお、上記実施の形態では靴の２３ｃｍタイプの前すべり防止用パッド１００として説明したが、靴の２４ｃｍ、２５ｃｍ・・の場合は、内側切欠部１０３、１０５の位置は数ｍｍ程度ずれる。つまり、靴の大きさが異なっても、内側足根小球領域Ａに対応する内側切欠部１０３が形成され、かつ外側足根小球領域Ｂに対応する外側切欠部１０５が形成される。
【符号の説明】
【００５８】
２０  前足部
２２  中足部
２３  後足部
１００  前すべり防止用パッド
２００  中底
３００  欧米女性用パンプス
【図１】
2015208399.tif 000003
【図２】
2015208399.tif 000004
【図３】
2015208399.tif 000005
【図４】
2015208399.tif 000006
【図６】
2015208399.tif 000007
【図７】
2015208399.tif 000008
【図５】
2015208399.tif 000009